(57)【要約】【課題】取付作業が簡単で、しかも構造の簡単な節水装置を提供することを目的とする。【解決手段】トイレットの水槽に取り付けられ、排水口を塞いだり開いたりするフラッパ弁の開閉装置において、前記水槽内で水位の変化に応じて昇降する浮き子２１，２１Ａと、初期および中期に前記浮き子ともに前記水槽内を昇降する錘２２，２２Ａと、前記錘をフラッパ弁の上方に当接し得るように配置するガイド２３と、をそなえたことを特徴とするフラッパ弁の開閉装置。【選択図】図２Ａ
0003136524.tif 000002
【実用新案登録請求の範囲】
【請求項１】
トイレットの便器用水槽に取り付けられ、排水口を塞いだり開いたりするフラッパ弁の開閉装置において、
前記水槽内で水位の変化に応じて昇降する浮き子と、
前記浮き子ともに前記水槽内を昇降する錘と、
前記錘を前記フラッパ弁の上部に当接し得るように配置するガイドと、
をそなえたことを特徴とするフラッパ弁の開閉装置。
【請求項２】
請求項１記載のフラッパ弁の開閉装置において、
前記ガイドは、前記フラッパ弁を開放する引き上げ鎖に取り付けられたことを特徴とするフラッパ弁の開閉装置。
【請求項３】
請求項２記載のフラッパ弁の開閉装置において、
前記ガイドは、前記浮き子および前記錘とともに前記引き上げ鎖に取り付けられたことを特徴とするフラッパ弁の開閉装置。
【請求項４】
請求項３記載のフラッパ弁の開閉装置において、
前記引き上げ鎖には、前記ガイドを案内するためのシースが嵌装されていることを特徴とするフラッパ弁の開閉装置。
【請求項５】
請求項１記載のフラッパ弁の開閉装置において、
前記ガイドは、前記水槽内のオーバーフロー水を排出するオーバーフロー管に取り付けられたことを特徴とするフラッパ弁の開閉装置。
【請求項６】
前記ガイドは、前記オーバーフロー管に嵌装されたことを特徴するフラッパ弁の開閉装置。
【請求項７】
請求項１記載のフラッパ弁の開閉装置において、
前記ガイドは、前記錘および前記浮き子とともにオーバーフロー管に嵌装されたことを特徴とするフラッパ弁の開閉装置。
【請求項８】
請求項１記載のフラッパ弁の開閉装置において、
前記ガイドは、全体的に円筒状をなし、長手方向の２つ割り構造であるフラッパ弁の開閉装置。
【請求項９】
請求項１記載のフラッパ弁の開閉装置において、
前記ガイドは、横断面形状がＣ字状をしたフラッパ弁の開閉装置。
【考案の詳細な説明】
【技術分野】
【０００１】
本考案は、トイレットの便器用水槽におけるフラッパ弁を開閉する装置に係わり、とくにフラッパ弁の閉止動作を促進して水槽からの排水量を節減する開閉装置に関する。
【背景技術】
【０００２】
水洗トイレットでは、使用毎に水槽に貯めた水を排出して便器を洗浄する。この水の排出を行うのがフラッパ弁であり、水槽内の排水口を塞ぐように設けられており、引き上げ鎖が引かれるとフラッパ弁が排水口を開け、便器に向けて排水する。そして、排水が進んで水位が下がると、浮き子と組み合わされた錘の作用でフラッパ弁を押し下げ、排水口を塞ぐことにより排水を停止する。
【０００３】
ここにおいて、節水の観点から排水量を削減する要望があり、便器および排水管等に不具合を生じない範囲で、排出する水の量を節減する種々の工夫がなされた節水装置が提供されている（例えば特許文献１参照）。
【特許文献１】特許第2825348号公報
【考案の開示】
【考案が解決しようとする課題】
【０００４】
これらは、それぞれ節水効果という点では、それなりの効果を挙げている。
【０００５】
しかしながら、取り付け作業の面からは必ずしも満足できるものではない。それは、節水装置の取付対象が重量のある蓋付きの陶器製水槽であり、この蓋を持ち上げて内壁が水に濡れた槽内での作業を行うため、作業が煩雑になる点にある。
【０００６】
本考案は上述の点を考慮してなされたもので、取付作業が簡単で、しかも構造の簡単な節水装置を提供することを目的とする。
【課題を解決するための手段】
【０００７】
上記目的達成のため、本考案では、
トイレットの便器用水槽に取り付けられ、排水口を塞いだり開いたりするフラッパ弁の開閉装置において、
前記水槽内で水位の変化に応じて昇降する浮き子と、
前記浮き子ともに前記水槽内を昇降する錘と、
前記錘を前記フラッパ弁の上部に当接し得るように配置するガイドと、
をそなえたことを特徴とするフラッパ弁の開閉装置、
を提供するものである。
【考案の効果】
【０００８】
本考案は上述のように、フラッパ弁の上方に、浮き子付きの錘をガイドとともに取り付けるだけで作業が済むため、簡易、迅速に節水装置を装備することができる。
【考案を実施するための最良の形態】
【０００９】
以下、添付図面を参照して本考案の実施例を説明する。
【実施例１】
【００１０】
図１は、フラッパ弁を開いたときの水槽内における水圧変化の様子を３つの期間に分けて示したものである。水圧は、時間の経過に伴い直線的に低下していく。
【００１１】
一方、フラッパ弁を通して流れる水の作用を見ると、水槽内水位による水圧と密接な関係を持っている。すなわち、水槽から便器に排出される水は、位置水頭により定まる水圧の作用によって便器内を洗浄するものであるから、水頭が高いほど洗浄機能が高く、ある程度下がってくると水量があっても洗浄機能が低くなる。
【００１２】
したがって、流水期間を図１に示すように３つに分けて見ると、水槽内水位が高い初期高水圧期間及び中期中水圧期間は十分な洗浄作用があるが、後期低水圧期間は水を止めても影響が少ない。水量でいうと、一般的な便器で初期および中期に約６〜８リットルを流せば、十分な洗浄作用が得られ、かつ水量の少なさに起因して下水までの排水管を詰まらせることも防止できる。
【００１３】
図２Ａないし図２Ｃは、本考案の一実施例の節水作用を示す説明図である。
【００１４】
この節水作用は、引き上げ鎖１０を引き上げることにより回動支点を中心にして回動し開いたフラッパ弁１０１の閉止動作を促進するもので、浮き子２１と組み合わされた錘２２の重みで押し下げることにより早めに弁を閉じる。
【００１５】
言い換えれば、フラッパ弁１０１の浮力を浮き子２１および錘２２の重量で打ち消すことにより、フラッパ弁１０１を排水口の上端に設けられた排水口に押し付けて閉止動作を早める。
【００１６】
浮き子２１と錘２２とは、円筒状のガイド２３によって一体的に連結されており、引き上げ鎖１０に案内されつつ上下移動可能に支持されている。ただし、浮き子２１と錘２２との相対位置関係は、例えば図示するように錘２２の内周およびガイド２３の外周に設けられたネジ機構又は段階的な係止機構等を用いて調節可能となっており、両者間の距離を広げたり縮めたりすることができる。
【００１７】
この結果、水槽（図示せず）内の水位が高くてもガイド２３の下端がフラッパ弁１０１の上部に接するようにも、あるいは水位がさらに低くなってからガイド２３の下端がフラッパ弁１０１の上部に接するようにも調節することができる。
【００１８】
図２Ａでは、フラッパ弁１０１が排水管１０２の開口部をほぼ塞いでいる状態であり、水槽からの排出水が排水管１０２を経て便器（図示せず）内に排出され始めた状態を示している。
【００１９】
まず排水管１０２には、オーバーフロー管１０３が連結されており、フラッパ弁１０１が通常の動作をせず水槽内の水が溢れそうなとき、オーバーフロー管１０３の上端から流入した水を排水管１０２に逃がすようにしている。
【００２０】
次に図２Ｂは、フラッパ弁１０１が開き切った状態を示している。このとき、水槽内の水位はまだ高い。そして、水槽内の水位が下がってくると、図２Ｃに示すように、浮き子２１付きの錘２２と組み合わされたガイド２３の下端が、それ自体が浮きを内蔵するフラッパ弁１０１の上部に当接して、フラッパ弁１０１を押し下げることにより閉止動作を促進する。
【００２１】
この閉止動作を促進し始める水位を決めるのが、ガイド２３に対する錘２２の位置であり、錘２２はロックナット付きの対型ナットとして構成しておくと、ガイド２３に対する位置を強固に固定することができる。
【００２２】
なお、引き上げ鎖１０に図示しないシースを被せて鎖が無用に折れ曲がらないようにしておくと、ガイド２３をより円滑に案内することができる。
【実施例２】
【００２３】
図３Ａないし図３Ｃは、本考案の他の実施例の節水作用を示したものである。この実施例は、浮き子２１Ａおよび錘２２Ａをオーバーフロー管１０３に装着するように構成されている。したがって、引き上げ鎖１０には、ガイド２３を含めて浮き子２１Ａ，錘２２Ａに関するものは何も設けられていない。浮き子２１Ａと錘２２Ａとの相対位置を調節できる点は、実施例１と同様である。
【００２４】
そして、浮き子２１Ａおよび錘２２Ａには、中心部に比較的大きな径の貫通孔が設けられており、この貫通孔にオーバーフロー管１０３を通す。そして、水槽内の水位変化により、浮き子２１Ａおよび錘２２Ａが、オーバーフロー管１０３に沿って昇降する。そして、錘２２Ａの下端が、フラッパ弁１０１の上部であって回動支点近くの箇所に当接して錘２２Ａの重量をフラッパ弁１０１に作用させる。
【００２５】
図４Ａおよび図４Ｂは、浮き子２１（２１Ａ）および錘２２（２２Ａ）の構成例を示した外観図である。浮き子２１および錘２２の取付対象は、引き上げ鎖１０またはオーバーフロー管１０３であるから、基本的に円筒状とする。なお、浮き子２１Ａと錘２２との相対位置を調節するためのネジ構造は図示省略している。
【００２６】
そこで、図４Ａに示す例では、全体形状がほぼ円筒状であって長手方向にほぼ２つ割りとして装着し、固定部２４ａ，２４ｂを係合することにより固定する。
【００２７】
また、図４Ｂに示す例では、横断面形状がＣ字状となるように、周方向の一部を開放しておき、この開放部を利用して引き上げ鎖１０またはオーバーフロー管１０３に装着する。この開放部は、とくにオーバーフロー管１０３の周方向の一部に設けられた突起に対する逃げ部としても機能する。
【図面の簡単な説明】
【００２８】
【図１】本考案の基本的考え方を示す説明図。
【図２Ａ】本考案の第１の実施例の構成および作用を示す説明図。
【図２Ｂ】本考案の第１の実施例の構成および作用を示す説明図。
【図２Ｃ】本考案の第１の実施例の構成および作用を示す説明図。
【図３Ａ】本考案の第２の実施例の構成および作用を示す説明図。
【図３Ｂ】本考案の第２の実施例の構成および作用を示す説明図。
【図３Ｃ】本考案の第２の実施例の構成および作用を示す説明図。
【図４Ａ】本考案の第２の実施例におけるガイドの一構成例を示す説明図。
【図４Ｂ】本考案の第２の実施例におけるガイドの他の構成例を示す説明図。
【符号の説明】
【００２９】
１０  引き上げ鎖、２１，２１Ａ  浮き子、２２，２２Ａ  錘、２３  ガイド、
１０１  フラッパ弁、１０２  排水管、１０３  オーバーフロー管。
【図１】
0003136524.tif 000003
【図２Ａ】
0003136524.tif 000004
【図２Ｂ】
0003136524.tif 000005
【図２Ｃ】
0003136524.tif 000006
【図３Ａ】
0003136524.tif 000007
【図３Ｂ】
0003136524.tif 000008
【図３Ｃ】
0003136524.tif 000009
【図４Ａ】
0003136524.tif 000010
【図４Ｂ】
0003136524.tif 000011
【手続補正書】
【提出日】平成19年8月24日(2007.8.24)
【手続補正１】
【補正対象書類名】実用新案登録請求の範囲
【補正対象項目名】請求項６
【補正方法】変更
【補正の内容】
【請求項６】
請求項1記載のフラッパ弁の開閉装置において、
前記ガイドは、前記オーバーフロー管に嵌装されたことを特徴するフラッパ弁の開閉装置。